(57)【特許請求の範囲】
【請求項１】
スプール上にプラスチックフィルムを巻き取るための機械における巻取りスピンドルの保持支持群であって、
前記機械が第１の支柱（１２）と第２の支柱（１３）の間に設置される巻取りリールを備え、前記第１の支柱（１２）が、３本のスピンドル（１６、１７、１８）を片持ち支持する回転プレート（１４）および巻取りリールを完全なものにする中央シャフト（１５）を支持し、
前記中央シャフト（１５）が前記第２の支柱（１３）の他の端部で支持されており、
前記中央シャフト（１５）の自由端と対応して、星型プレート（１９）と関節でつながれるレバー（２０）上に支持されるアクチュエータ（３０）によってトグルレバー機構（２１、２２、２５）が駆動され、次に、３本の前記スピンドル（１６、１７、１８）のそれぞれの作動制限位置と第２のアクチュエータ（３２）によって３本の前記スピンドル（１６、１７、１８）のそれぞれを解放するための休止位置との間で往復されるそれぞれの前記トグルレバー機構（２１、２２、２５）による、３本の前記スピンドル（１６、１７、１８）の各自由端の３つの支持アームを有する前記星型プレート（１９）が存在することを特徴とする、保持支持群。
【請求項２】
前記トグルレバー機構が、前記レバー（２０）の上端にピン（２３）によって蝶番式に取り付けられるベルクランク（２２）からなるつかみ具（２１）を備えることを特徴とし、
前記レバー（２０）が、前記ピン（２３）の近くに、個々の前記スピンドル（１６、１７、または１８）の端部を把持するために、前記つかみ具（２１）に対して相補的な形態を有するハウジング（２４）を備える、請求項１に記載の保持支持群。
【請求項３】
前記トグルレバー機構が、ブラケット（２５）をさらに備え、
前記ブラケット（２５）は、第１の端部でピン（２６）によって前記ベルクランク（２２）の中間部に連結され、第２の端部でピン（２７）によって前記アクチュエータ（３０）のステム（２９）の先端部（２８）に連結されることを特徴とする、
請求項２に記載の保持支持群。
【請求項４】
前記トグルレバー機構の制限位置において、前記ブラケット（２５）の前記ピン（２６、２７）が、前記つかみ具（２１）と所定の位置で一列に並べられ、前記アクチュエータ（３０）の前記ステム（２９）に対する垂直な位置にあり、前記スピンドル（１６または１７または１８）の安定した締め付けをもたらすことを特徴とする、
請求項３に記載の保持支持群。
【請求項５】
前記レバー（２０）が、ピン（３１）によって、前記つかみ具（２１）を支持する反対側の端部で前記星型プレート（１９）に蝶番式に取り付けられる
ことを特徴とし、
第２のアクチュエータ（３２）が前記星型プレート（１９）のアーム上に支持され、前記第２のアクチュエータ（３２）のステム（３３）の一端が、自由端で、ピン（３４）によって前記レバー（２０）に連結される、
請求項１または２に記載の保持支持群。
【請求項６】
前記レバー自体（２０）の角度位置を制限するためのブレーキ（３６）が前記レバー（２０）と関連する
ことを特徴とする、
請求項１〜５のうちいずれか一項に記載の保持支持群。
【発明の詳細な説明】
【技術分野】
【０００１】
本発明は、スプール上にプラスチックフィルムを巻き取るための機械における巻取りスピンドルの保持支持群に関する。
【背景技術】
【０００２】
現在、各巻取りリールに存在するスピンドルのさまざまな支持システムが、スプールにプラスチックフィルムを巻き取るための機械の分野で使用されている。
【０００３】
この支持は一般に、先端と、スプール（単数または複数）を取りはずすためにスピンドルを軸方向に制限または解放するために互いの方へまたは互いから離れるように軸方向に移動させる心押し台との間で生じる。
【発明の概要】
【発明が解決しようとする課題】
【０００４】
現在使用されているこの技術は、芯の装填および巻き取られたスプールの取りはずしのために互いの方へおよび互いから離れるように先端および心押し台を移動させる際の時間損失という第１の問題を生じる。
【０００５】
第２の問題は、スピンドルを完全に把持せず、安定した軸方向の制限を保証しない、先端と心押し台との間の端部支持システムによって生じる振動に関するものである。
【０００６】
別の特定の問題は、対向する前端支持の間でのスピンドルの配置において発生する可能
性のある湾曲に関するものである。
【０００７】
さらにまた、特定のタイプのこれらの巻取り機械において、スプールは、「手動」および「自動」のような一般的な使用に対して設定される２または３インチの直径を有する芯上に巻き取らせることができる。
【０００８】
「手動」使用のためのスプールは、比較的短い長さの巻取材料で作成しなければならず、結果的に、生産速度を高めるために、スプール取替えサイクルが短い時間で生じることになる。たとえば、１５０ｍｌのスプールを６００ｍ／分で作成するためには、１分あたり４回の取替え、つまり１５秒ごとの取替えが必要となる。
【０００９】
これでは、スプールのオンライン生産において、所望の高い速度で非常に小さい直径および重量を有することは可能ではない。
【００１０】
さらにまた、非常に薄いフィルム（表示的に６μｍ〜１２μｍ）を生産する必要性が、そのような薄いフィルムの巻取り中に発生する基本的な問題を解消するのに好適な、さまざまな手段の研究および創造につながっている。
【００１１】
非常に迅速な取替えサイクルを実現する必要性は、たとえば、リールを移動させること
なく、生成されたスプールをリールから引き出すことを必要とする。この動作は明らかに
、生成されたスプールを引き出しさらに新しい厚紙芯を挿入するために、リール自体の端
部を解放することによってのみ実現できる。
【００１２】
本発明の一般的な目的は、非常に単純で、経済的で、そして特に機能的な方法で、上述された既知の技術の欠点を解決することである。
【００１３】
本発明のさらなる目的は、芯の取替え時間およびスプールの抜き出し時間を減少させる、スプール上にプラスチックフィルムを巻き取るための機械における巻取りスピンドルの保持支持群を提供することである。
【００１４】
本発明の別の目的は、先端心押し台端部支持群の振動を排除する、スプール上にプラスチックフィルムを巻き取るための機械における巻取りスピンドルの保持支持群を提供することである。
【００１５】
本発明のさらに別の目的は、迅速な取りはずしの場合でさえスピンドルの安全な支持および制限を保証する、スプール上にプラスチックフィルムを巻き取るための機械における巻取りスピンドルの保持支持群を提供することである。
【００１６】
本発明のさらなる目的は、支持の間に配置されるスピンドルが湾曲する可能性を排除する、スプール上にプラスチックフィルムを巻き取るための機械における巻取りスピンドルの保持支持群を提供することである。
【課題を解決するための手段】
【００１７】
上記の目的に鑑み、本発明に従って、添付の特許請求の範囲に記載される特徴を有する、スプール上にプラスチックフィルムを巻き取るための機械における巻取りスピンドルの保持支持群が考えられる。
【００１８】
本発明の構造的特徴および機能的特徴、ならびに既知の技術に関する利点は、本発明に従って作成される巻取りスピンドルの保持支持群の実施形態を示す添付図面を参照して、以下の説明からさらに明らかになるであろう。
【図面の簡単な説明】
【００１９】
【図１】本発明によって作成される巻取りスピンドルの保持支持群を備える巻取り機械の一部を示す概略立側面図である。
【図２】図１の部分の一部の拡大図であり、より明確な理解のために部分的に断面図として示されている。
【図３ａ】異なる連続的な作動段階における、本発明の群の機能の概略図である。
【図３ｂ】異なる連続的な作動段階における、本発明の群の機能の概略図である。
【図３ｃ】異なる連続的な作動段階における、本発明の群の機能の概略図である。
【図４ａ】２つの異なる作動段階における、本発明の群のスピンドルの端部の保持支持要素の部分拡大正面図である。
【図４ｂ】２つの異なる作動段階における、本発明の群のスピンドルの端部の保持支持要素の部分拡大正面図である。
【発明を実施するための形態】
【００２０】
最初に図１を参照すると、これは、本発明によって作成される巻取りスピンドルの保持支持群１１を備える領域において、巻取り機械の一部を示す概略立側面図を示す。
【００２１】
保持支持群１１は、巻取り機械の肩部を形成する２つの垂直支柱１２、１３の内側に設置される。第１の支柱１２は回転支持プレート１４上で、第２の支柱１３と対応する他の端部で支持される、中央シャフト１５を片持ち支持する。
【００２２】
中央シャフト１５のまわりを回転するプレート１４は、巻取りリールを完全なものにする、互いに対して１２０°の間隔で配置される３本のスピンドル、１６、１７、および１８も支持する。
【００２３】
本発明によると、本発明によって作成される巻取りスピンドルの保持支持群１１はリールと関連する。
【００２４】
群１１は、３本のスピンドル１６、１７、および１８の自由端の３つの選択的な支持アームを有する、星１９すなわち成形プレートを備える。より詳細には、３本のスピンドル１６、１７、または１８の各端部と対応する個々のスピンドルの把持は、それぞれのトグルレバー機構によって実現される。
【００２５】
前記トグルレバー機構は、アクチュエータ３０によって駆動され、レバー２０に伝えられて、作動位置と休止位置との間での往復が順番に引き起こされる。実際、レバー２０は、それぞれのスピンドル１６、１７、または１８の作動制限位置と、さらなるアクチュエータ３２によってそれぞれのスピンドル１６、１７、または１８を解放するための休止位置との間を移動することができる。
【００２６】
トグルレバー機構は、レバー２０の上端にピン２３によって蝶番式に取り付けられるベルクランクまたはトグルレバー２２からなるつかみ具２１を備える。レバー２０はまた、前記ピン２３の近くに、個々のスピンドル１６、１７、または１８の端部を把持するために、つかみ具２１に対して相補的な形態を有するハウジング２４を備える。
【００２７】
ブラケット２５は、第１の端部でピン２６によってベルクランク２２の中間部に連結され、第２の端部でピン２７によって、空気圧シリンダからなりレバー２０と一体的に配置されるアクチュエータ３０のステム２９の先端部２８に連結される。
【００２８】
レバー２０は同様に、つかみ具２１を保持するのと反対側の端部で、ピン３１によって星型プレート１９に蝶番式に取り付けられる。レバー２０には、空気圧シリンダなどのさらなるアクチュエータ３２によって、前記ピン３１のまわりでの往復が引き起こされる。アクチュエータ３２は、星型プレート１９のアーム上で、ピン３７によって第１の端部で蝶番式に取り付けられ、そのステム３３の一端は、自由端で、ピン３４によってレバー２０に連結される。
【００２９】
特に、図３ａ、３ｂ、および３ｃは、異なる連続的な作動段階における、本発明の群の機能の概略図である。
【００３０】
したがって、個々のスピンドル１６、１７、または１８の非常に安全かつ信頼性のある保持「システム」が作成され、それは停止時間も最小化する。
【００３１】
実際、本発明の群で非常に迅速な取替えサイクルを実現する必要性により、リールを移動させることなく、リールで生成される（図１に示される３つの）スプール３５を引き出すことを可能にする。本発明によると、実際、この動作は、当該のリールのスピンドルの端部を解放することによってのみ実現でき、生成されたスプール３５を引き出すことを可能にする。
【００３２】
リールのスピンドル１６、１７、または１８の端部の可動式把持「システム」は、この動作の実現を可能にし、同時に、巻取り段階での、確実な保持（楔挿入）を保証する。したがって、これまで採用されてきた不安定なシステムまたは休止システムの典型的なすべての振動現象は、排除される。
【００３３】
図３ａ〜３ｃおよび４ａ〜４ｂは、本発明による群の機能を示し、それは以下のように要約することができる。
【００３４】
図３ａおよび４ａは、空気圧シリンダ３０がスプール３５の正常な巻取り条件の下で、トグルレバー機構の関連するつかみ具２１を有するレバー２２を駆動し、スピンドル１６およびすべてのその他のスピンドル１７および１８に関して自由端上で再閉鎖する方法を示す。簡単にするために、ここではスピンドル１６についてのみ記載する。スピンドル１６の前記端部はさらに、レバー２０のシート２４に収容される。これは、スピンドル１６の安定した締め付けを保証する。好ましい実施形態において、解放の危険性を完全に排除するために、トグルレバー機構の不可逆性が考えられる。
【００３５】
実際、トグルレバー機構の制限位置において、ブラケット２５のピン２６、２７は、一方では、つかみ具２１と一列に並べられた位置にあるように、そして他方では、アクチュエータ３０のステム２９に垂直であるように位置合わせされることに注目すべきである。よって、着目するスピンドル１６、１７、および１８の安定した締め付けが確立され、解放の危険性は、この位置の不可逆性のために、完全に排除される。実際、互いに協働する要素であるベルクランク２２およびレバー２０が互いに対して移動することは、偶然にさえ不可能であり、それぞれのつかみ具２１およびハウジング２４も同様である。また、レバー２０は、着目するスピンドル１６またはその他のスピンドルの位置決め軸に近いように、角度をつけて配置されることは指摘されるべきである。この目的のために、レバー２０の角度位置が空気圧シリンダ３２のステム３３の伸長によって保証され、その制限は、その中に含まれる油の非圧縮性を利用して、その完全な静止および位置の安定性を保証する特定の油圧ブレーキ３６によって実現さる。
【００３６】
図３ｂは、スプール３５の抜き出し段階前の位置を示し、そこでは、空気圧シリンダ３０によるベルクランクまたはトグルレバー機構２２の開口が実現される。
【００３７】
空気圧のシリンダ３２はそのステム３３を引き込み、排出できる作成されたスプール３５の通過のための空間をつくるように、レバー２０に逆時計方向の復帰運動をさせる。
【００３８】
空の芯４３が着目するスピンドル上に補充されると、閉じる手順は当然、正反対である。
【００３９】
本発明による群は、巻取りリールのスピンドルの、二重楔挿入の状況を定義し、可能なコンタクトロール（図示せず）の力によってつくられる任意の可能な湾曲を均一にし、結果的に、同一のスピンドルの２つの端部の周速度をつりあわせる。
【００４０】
図２は、スプール３５が排出されるときに解放されなければならないリールのスピンドル１６の端部で、トグルレバー機構２２で保証される楔挿入状態を明確に示す。フィルムの巻取り領域に対するトグルレバー機構２２のあごのあるシート２１の極端な近さが、著しい楔挿入効果を保証する。自由屈曲長さは減少し、とりわけ、全長に沿ったリールのスピンドルの挙動の対称性が保証される。
【００４１】
より良好な理解のために、図４ａおよび４ｂは、トグルレバー機構２２の主機能段階を示す。空気圧シリンダ３０のステム２９が引き出された位置にあるとき、つかみ具２１の開きトルクＣは理論的に無限であり、それは、それ自身の回転軸に沿って表される力Ｆに打ち勝たなければならないためである。
【００４２】
空気圧シリンダ３２のステム２９の再入移動（図４ｂ）のみが、前記つかみ具２１を「解放する」ことができ、その支点すなわちピン２３まわりでの回転を可能にする。
【００４３】
本発明によって、リールのスピンドル１６、１７、または１８の端部の可動式締め付け「システム」がつくられ、それは迅速かつ安定した作動位置、およびスプールの同様に迅速な取りはずしを可能にする。同時に、巻取り段階の間、確実な保持（楔挿入）が保証され、それゆえ、たとえば先端心押し台端部支持群などの既知の不安定なシステムまたは休止システムで典型的な振動現象を排除する。
【００４４】
スプール上にプラスチックフィルムを巻き取るための機械における巻取りスピンドルの保持支持群も、本発明によってつくられ、それはスピンドルにおける確実な支持および制限、ならびにその迅速な取りはずしの可能性を保証する。
【００４５】
したがって、説明の導入部で言及された目的が実現される。
【００４６】
本発明の群を作成するための構造の形態、さらに材料および組立てモードは、単に例示的かつ非限定的な目的のために図面に示されるものと、明らかに異なるようにすることができる。
【００４７】
したがって、本発明の保護範囲は、添付の特許請求の範囲によって定められる。
【図１】
0006558590.tif 000002
【図２】
0006558590.tif 000003
【図３ａ】
0006558590.tif 000004
【図３ｂ】
0006558590.tif 000005
【図３ｃ】
0006558590.tif 000006
【図４ａ】
0006558590.tif 000007
【図４ｂ】
0006558590.tif 000008